(57)【要約】【課題】照明器具の光源と点灯装置との発熱を効率的に放熱しながら、照明器具の小型・軽量化を図る。【解決手段】照明器具１は、下端と上端が開口した筒状の本体３と、前記本体の前記下端に取り付けられた光源２と、前記本体の前記上端に取り付けられた天板６と、前記天板に取り付けられ、前記光源を点灯する点灯装置１００と、を備え、前記天板６は、前記本体３の内部に窪んだ装置配設部５０を有し、前記点灯装置１００は、前記装置配設部５０に配設されている。前記点灯装置１００の高さは、本体３の前記上端の面の高さ以下である。前記点灯装置１００は、前記天板６から隙間を開けて前記装置配設部５０に固定される。【選択図】図１
2018166124.tif 000002
【特許請求の範囲】
【請求項１】
下端と上端が開口した筒状の本体と、
前記本体の前記下端に取り付けられた光源と、
前記本体の前記上端に取り付けられた天板と、
前記天板に取り付けられ、前記光源を点灯する点灯装置と、
を備え、
前記天板は、前記本体の内部に窪んだ装置配設部を有し、
前記点灯装置は、前記装置配設部に配設され、
前記装置配設部は、端部に凹端部を有し、
前記本体は、前記装置配設部の凹端部の形状に合致するように、側面の上部が切欠かれていることを特徴とする照明器具。
【請求項２】
下端と上端が開口した筒状の本体と、
前記本体の前記下端に取り付けられた光源と、
前記本体の前記上端に取り付けられた天板と、
前記天板に取り付けられ、前記光源を点灯する点灯装置と、
を備え、
前記天板は、前記本体の内部に窪んだ装置配設部を有し、
前記点灯装置は、前記装置配設部に配設され、
前記装置配設部は、端部に凹端部を有し、
前記装置配設部は、前記天板の中心を横切って前記本体の側面まで溝状に形成されたことを特徴とする照明器具。
【請求項３】
前記凹端部は、前記装置配設部の両端に逆台形形状に形成され、
前記本体は、側面の上部が切欠かれた１対の切欠き部を有し、
前記切欠き部は、前記装置配設部の前記凹端部の形状に合致する形状を有することを特徴とする請求項１又は２に記載の照明器具。
【請求項４】
前記点灯装置の高さは、前記本体の前記上端の面の高さ以下であることを特徴とする請求項１から３いずれかに記載の照明器具。
【請求項５】
前記装置配設部は、矩形の底板と、前記底板の両側にあって次第に間隔が広がっている１対の傾斜板とを有することを特徴とする請求項１から４いずれかに記載の照明器具。
【請求項６】
前記点灯装置は、前記底板から底隙間を開けて、かつ、上に向かって次第に間隔が広がっている脇隙間を開けて、前記装置配設部に固定されたことを特徴とする請求項５に記載の照明器具。
【請求項７】
前記光源は、前記本体の内部に配置された放熱部材と、前記放熱部材の周囲に配置された吸気口とを有し、
前記本体と前記天板との少なくともいずれかは、排気口を有することを特徴とする請求項１から６いずれかに記載の照明器具。
【請求項８】
照明器具が取り付けられる取付面に取り付けられる取付アームと、前記取付アームを前記天板および前記点灯装置から離れた位置に固定する固定アームとを有する取付部を備えたことを特徴とする請求項１から７いずれかに記載の照明器具。
【発明の詳細な説明】
【技術分野】
【０００１】
本発明は、照明器具に関するものである。たとえば、天井や梁に取り付けられる照明器具あるいは高天井から吊り下げられる照明器具に関するものである。
【背景技術】
【０００２】
照明器具の本体内部の発熱部品に対して通気を可能にして効率よく放熱させる照明器具がある（例えば、特許文献１・図１参照）。
【先行技術文献】
【特許文献】
【０００３】
【特許文献１】特開２０１０−８０２４４号公報
【特許文献２】特開２０１４−０２６８０３号公報
【特許文献３】特開２０１４−００２９１６号公報
【特許文献４】特開２０１３−１８２７７７号公報
【特許文献５】特開２００９−２３８７３４号公報
【特許文献６】特開２００８−１８６７７６号公報
【特許文献７】実願昭５７−１７４６６２号（実開昭５９−０７７７０４号）のマイクロフィルム
【発明の概要】
【発明が解決しようとする課題】
【０００４】
しかしながら、特許文献１における照明器具においては、本体内部の発熱部品の放熱には効果が期待されるが、本体下部の光源が発する熱の放熱に対しての有効性は低いという課題があった。
【０００５】
一方で、高出力な性能を要求される照明器具においては、その期待される性能を満足させるために搭載部品や器具そのものが大型化する傾向にある。しかしながら、より施工性の良いものを考えるとそれらはより小型・軽量のものであることが望ましい。
【０００６】
本発明は、点灯装置を一体化した照明器具において、光源と点灯装置との発熱を効率的に放熱する照明器具を提供することを目的とする。
【課題を解決するための手段】
【０００７】
本発明の照明器具は、
下端と上端が開口した筒状の本体と、
前記本体の前記下端に取り付けられた光源と、
前記本体の前記上端に取り付けられた天板と、
前記天板に取り付けられ、前記光源を点灯する点灯装置と、
を備え、
前記天板は、前記本体の内部に窪んだ装置配設部を有し、
前記点灯装置は、前記装置配設部に配設され、
前記装置配設部は、端部に凹端部を有し、
前記本体は、前記装置配設部の凹端部の形状に合致するように、側面の上部が切欠かれていることを特徴とする。
【発明の効果】
【０００８】
本発明によれば、点灯装置を器具本体の上部へ配設することで、光源の熱的影響を点灯装置へ与えにくくしながらも、器具設置の作業スペース確保と器具小型化が可能となる。
【図面の簡単な説明】
【０００９】
【図１】実施の形態１の照明器具１の斜視図である。
【図２】実施の形態１の照明器具１の分解斜視図である。
【図３】実施の形態１の照明器具１の側面図である。
【図４】図３のＢ−Ｂ断面図である。
【図５】実施の形態１の照明器具１の下面図である。
【図６】実施の形態１の光源２の分解斜視図である。
【図７】実施の形態１の他の実施例を示す図である。
【図８】実施の形態１の他の実施例を示す図である。
【発明を実施するための形態】
【００１０】
実施の形態１．
図１は、本実施の形態の照明器具１の斜視図である。
図１において、Ｃは中心軸である。
図２は、本実施の形態の照明器具１の分解斜視図である。
図２において、点線はねじによるねじ止め個所を示している。
図３は、本実施の形態の照明器具１の側面図である。
図４は、図３のＢ−Ｂ断面図である。
図５は、本実施の形態の照明器具１の下面図である。
図６は、本実施の形態の光源２の分解斜視図である。
【００１１】
＜＜＜照明器具１の説明＞＞＞
照明器具１は、光源２と、本体３と、取付部４５と、点灯装置１００と、天板６とを備える。
照明器具１は、本体３と点灯装置１００とが個別の筐体からなるものである。しかし、この実施の形態の照明器具１は、点灯装置１００を天井裏などの別な場所に設置するものでもないし、点灯装置１００を取付部４５に取り付けるものでもないし、点灯装置１００を本体３の内部に設置するものでもない。この実施の形態の照明器具１は、点灯装置１００を本体３の天板６の外上部に取り付けるものであり、本体３と点灯装置１００とを一体化したものである。
照明器具１は、取付部４５を除くと、全体として、中心軸Ｃを中心とした筒状形状をしている。
点灯装置１００は、本体３の筒状形状の上部に埋め込まれた状態で本体３に固定されている。
点灯装置１００は、端子用カバー１０３を除き、本体３の外形線からはみ出ている部分はなく、本体３の外形以内に存在している。
なお、本体３と点灯装置１００とが個別の筐体を有しているので、点灯装置１００を天井裏などの別な場所に設置するようにしてもよい。
【００１２】
＜＜＜本体３の説明＞＞＞
本体３は、下端３１と上端３２が円状に開口した筒状の板金である。
本体３は、円筒状の側面３３を有する。
側面３３の上側面には、対向して１対の切欠き部３４がある。
切欠き部３４は、側面３３の上端から下方に向かって逆台形形状に切欠いた部分である。
切欠き部３４の逆台形形状は、天板６の装置配設部５０の両端に形成された凹端部５３の逆台形形状と合致している。
本体３の直径Ｄ対本体３の高さＨの比は、おおよそ２対１であり、扁平な円筒形を呈している。
切欠き部３４の深さＨ１対本体３の高さＨの比は、おおよそ３対７であり、最大でも、１対２が好ましい。
切欠き部３４の上端の長さＬ１対本体３の直径Ｄの比は、おおよそ７対１５であり、最大でも、１対２が好ましい。
切欠き部３４の下端の長さＬ２対本体３の直径Ｄの比は、おおよそ３対１５であり、最大でも、１対２が好ましい。
本体３の下端３１には内側に折り曲げられた下鍔３５がある。下鍔３５は水平リング形状をしている。
本体３の上端３２には内側に折り曲げられた上鍔３６がある。上鍔３６は水平リング形状をしている。
本体３の側面３３の上側面には、切欠き部３４を除き、複数の排気口９がある。
本体３の側面３３には、固定アーム４をねじ止めするねじ切り穴３７がある。
ねじ切り穴３７は、１本の固定アーム４に対して上下方向に２か所ある。
【００１３】
＜＜＜天板６の説明＞＞＞
天板６は、本体３の上端３２に取り付けられる板金である。
天板６は、本体３の上端３２のカバーとなるとともに、点灯装置１００を埋設するように取り付ける。
天板６は、装置配設部５０と２枚の弧状板６１を有する。
【００１４】
弧状板６１の外形は、直線部と外形弧からなる。
弧状板６１の直線部から、装置配設部５０が下方に向かって形成されている。
弧状板６１の外形弧は、本体３の直径と同じ直径を有している。
弧状板６１の外形弧は、本体３の外周形状と一致する。
弧状板６１には、外周に接近する位置に複数の排気口９１が放射状に設けられている。
【００１５】
＜＜＜装置配設部５０の説明＞＞＞
装置配設部５０は、点灯装置１００を配設する。
装置配設部５０は、本体３の内部下方に窪んでいる。
装置配設部５０は、天板６の中央を横断して溝状又はＵ字状又は側溝状に形成される。
装置配設部５０は、天板６の中心を直径方向に横切って本体３の両側面まで上方向に広がって形成されている。
装置配設部５０は、底板５１と１対の傾斜板５２とを有している。
底板５１は、矩形（ほぼ矩形）である。
底板５１の短辺は、本体３の直径と同じ長さの直径を有している弧である。
底板５１の長辺は、本体３の直径よりも小さい長さの直線である。
底板５１の形状は、点灯装置１００の装置底板１１１とほぼ同じ形状である。
底板５１の面積は、点灯装置１００の装置底板１１１の面積以下である。
１対の傾斜板５２は、底板５１の両側にあって上に向かって次第に間隔が広がっている。
傾斜板５２は、矩形（ほぼ矩形）である。
傾斜板５２の下の長辺は底板５１の長辺であり、傾斜板５２の上の長辺は弧状板６１の直線部である。
底板５１と１対の傾斜板５２とで形成する空間の形状は、断面が逆台形形状の六面体である。
底板５１には、４か所の角にエンボス５４が形成されている。
エンボス５４は、底板５１の表面よりも上に盛り上がった突起状の肉厚部分である。
エンボス５４の中央にはねじ切り穴５５があり、底板５１の表面上でドーナツ形状を呈している。
エンボス５４は、点灯装置１００を底板５１から隙間を設け浮かせて配設するものである。
【００１６】
＜＜＜点灯装置１００の説明＞＞＞
点灯装置１００は、本体３の上部に配設される。
点灯装置１００は、端子台１０５を介して商用電源から供給される電力によって光源２を点灯する。
点灯装置１００は、天板６に取り付けられる。
点灯装置１００は、六面体の箱状であり直方体の形状をしている。
点灯装置１００は、装置本体１０１と装置蓋１０２とを有する。装置本体１０１と装置蓋１０２とは、板金であり、点灯装置１００の筐体を形成する。
点灯装置１００は、個別の筐体を有しているので、点灯装置１００だけで、市場で流通させることができる。
【００１７】
＜＜＜装置蓋１０２＞＞＞
装置蓋１０２は、下面が開放され、上板１０７と１対の長側板１０８と１対の短側板１０９とを有する。
上板１０７は、端子台１０５に商用電源の電線を挿入する端子口１１０を有している。
施工時に、端子台１０５に電線を挿入した後、端子口１１０は、端子用カバー１０３により覆われる。
端子用カバー１０３により、端子台１０５から点灯装置１００の内部にほこりやごみが侵入することを防止することができる。
端子用カバー１０３は、上板１０７よりも上方向に突出しているが、端子台１０５を下方に下げて固定し、端子用カバー１０３を上板１０７から突出させないようにしてもよい。
なお、端子口１１０を上板１０７ではなく長側板１０８に設ければ、端子口の開口を側面に設けることができ、上部に端子口の開口がなくなるので、端子用カバー１０３を設ける必要はない。端子用カバー１０３がなければ、点灯装置１００はすべて本体３の外形の内側に存在することになる。
【００１８】
＜＜＜装置本体１０１＞＞＞
装置本体１０１は、回路基板１０４と端子台１０５と取付金具１０６とを収納する。
装置本体１０１の底には、装置底板１１１がある。
装置底板１１１には、エンボス５４の４か所のねじ切り穴５５と対向する位置に、４か所のねじ穴が形成されている。
点灯装置１００は、装置蓋１０２をはずした状態で、４本のねじで、エンボス５４のねじ切り穴５５にねじ止めされる。
装置本体１０１は、装置蓋１０２で覆われる。装置蓋１０２の短側板１０９の下端を装置本体１０１にねじ止めして、装置本体１０１に装置蓋１０２を固定する。
点灯装置１００の装置底板１１１は、天板６の底板５１から底隙間９５だけ離れている。底隙間９５の高さは、エンボス５４の高さに等しい。
また、点灯装置１００の長側板１０８は、天板６の傾斜板５２から脇隙間９６だけ離れている。脇隙間９６の幅は、上に向かって徐々に増加している。脇隙間９６は、断面が直角三角形の三角柱の形状を呈している。
【００１９】
＜＜＜断熱作用＞＞＞
点灯装置１００は、装置本体１０１を天板６に固定することで、本体３への配設がなされている。
装置本体１０１と天板６との固定部分（ねじ止め部分）以外の間には底隙間９５と脇隙間９６とを設け、本体３の両側面間にわたって通気できるようになっており、本体３の内部の光源２よりの熱的影響を点灯装置１００へ伝えないようにしている。あるいは、逆に、点灯装置１００からの熱的影響を本体３へ伝えないような形態となっている。
なお、底隙間９５と脇隙間９６とのいずれか一方のみでも構わない。
【００２０】
本体３および天板６の装置本体１０１が配設される窪み部分の形状は、１対の傾斜板５２により、上方へ向かうにつれて徐々に開口する形で形成されており、本体３の内部の熱が上側部の外周方向へ流れやすくなる形状をとっている。すなわち、本体３の内部の高熱の空気上昇流が点灯装置１００から遠ざかることになる。この傾斜板５２による排気効果が存在するため、光源２と点灯装置１００との熱的影響をさらに減少させることができる。
【００２１】
＜＜＜作業スペース＞＞＞
点灯装置１００が配設される装置配設部５０は窪んでいる。
点灯装置１００の上面と本体３の上面とはほぼ同じ高さとなる。すなわち、装置配設部５０のくぼみの深さは点灯装置１００の高さ方向の長さと同じにする。換言すれば、上板１０７と弧状板６１とは同一面にある。
点灯装置１００の上面と本体３の上面とがほぼ同じ高さとなるとにより、取付アーム５の下の作業空間が広くなり、照明器具１の天井への取付時の作業スペースが確保される。
取付アーム５の中央下部の空間をより大きくしたければ、点灯装置１００の高さを、本体３の上端３２の面（弧状板６１の面）より下にすればよい。
【００２２】
また、本実施の形態の例では、点灯装置１００の長辺が、本体３の直径とほぼ同長、又は、本体３の直径以下である。
点灯装置１００が本体３の外周からはみ出さないようにするため、点灯装置１００の長辺を、装置配設部５０の底板５１の長辺の長さ以下にする。
なお、点灯装置１００の長辺より本体３の直径が大きい場合、装置配設部５０は天板６を端から端まで横断する必要はないので、天板６の中央部分で穴状に窪んでいてもよい。すなわち、装置配設部５０の形状を、本体３の外周円と同心円で本体３の直径より小さい直径を有する凹形状穴としもよい。
また、点灯装置１００の形状を円筒形状としてもよい。
【００２３】
＜＜＜排気口９と排気口９１の説明＞＞＞
装置配設部５０がある部分を除き、照明器具１の上側面と上面とに排気口（換気口）が設けられている。
すなわち、本体３の側面３３の上側に排気口９が設けられ、天板６の弧状板６１に排気口９１が設けられている。このことにより、光源２で発せられた熱は本体３の内部を通り、器具上部から器具外部へ放出される。
排気口９は、放熱部材７よりも上の側面３３の全周に設けられる。
排気口９１は、弧状板６１の外周に近いほうに設けられる。
本体３の排気口９が設けられた側面３３の直径は、光源２の吸気口８が設けられた外周面の直径より大きい。したがって、放熱部材７からの熱気は本体３の内部で周囲に広がることができる。また、放熱部材７と天板６の底板５１の間には空間１８０が存在している。この空間１８０は、熱気を上昇させながら熱気を周囲の排気口に導くための空間である。
このため、熱気は、点灯装置１００から離れて放出される。空間１８０がなければ、放熱部材７から上昇する熱気が天板６の底板５１に真下から当たり、底板５１から点灯装置１００に熱を伝える恐れがある。
なお、照明器具１の上側面と上面との両方に換気口を設けなくてもよく、どちらか一方に換気孔を有していればよい。
【００２４】
＜＜＜光源２の説明＞＞＞
光源２は、以下のものを有している。
（１）放熱部材７、
（２）放熱絶縁シート２３、
（３）放熱部材７に放熱絶縁シート２３を介して取り付けられる５枚の光源モジュール２４、
（４）光源モジュール２４を放熱部材７に固定する１枚のリフレクタ２５、
（５）本体３に取り付けられ、本体３の内部に吸気する吸気口８が形成され、環状帯状をしている吸気カバー部２７、
（６）吸気カバー部２７の内部にパッキン２８を介して取り付けられる円盤状の透明又は半透明の光透過性カバー部２９、
【００２５】
光源２は、本体３の下端３１に取り付けられる。
光源２は、本体３の内部に配置される放熱部材７と、放熱部材７の周囲に配置された吸気口８とを有する。
光透過性カバー部２９は、発光面の前面に設けられる平面または曲面を有したカバーである。
光源モジュール２４は、基板の表面に半田付けされた複数の発光ダイオード素子からなる。
光源モジュール２４として、例えば蛍光ランプやＬＥＤランプ等を用いてもよい。
光源モジュール２４として、単数又は複数個の光源素子やタイプの異なる光源素子を搭載してもよい。
【００２６】
光源２は、光源モジュール２４が配置された発光面とは反対面側に放熱部材７を配設している。
光源２は、本体３の内部に放熱部材７を収納する形で、本体３の下部に固定される。
光源２の外郭枠には、外部よりの空気を取り込むための吸気口８（換気口）が設けられている。
【００２７】
吸気カバー部２７は、全体として、環状帯状をしている。
吸気カバー部２７は、小径の高さＨ２の内筒部１７３と、大径の高さＨ３（Ｈ２＜Ｈ３）の外筒部１７５とを有している。内筒部１７３と外筒部１７５の形状は、ともに、環状帯状である。
【００２８】
内筒部１７３の下端部からは内鍔部１７２が中心に向かって形成されている。内鍔部１７２の開口形状は、５つの花びらがある花の外形形状を呈している。
内筒部１７３と外筒部１７５とは、水平リング状の中リング部１７４で連続している。中リング部１７４には８個のネジ穴があり、ネジにより放熱部材７が固定される。
放熱部材７の円板状のベースプレート１２１の外縁は、中リング部１７４と面で接触することで熱的に接続され、放熱効果を向上させる。
外筒部１７５には、３６０度方向に複数の吸気口８が形成されている。
【００２９】
吸気口８は、放熱部材７の周囲に複数形成されている。
吸気口８は、光源２の下側面に垂直方向に形成されており、吸気口８の形状は、長方形である。
【００３０】
外筒部１７５の端部からは外鍔部１７６が外側に向かって水平に形成されている。外鍔部１７６の形状はリング形である。外鍔部１７６には４個の穴があり、ネジ又はリベットにより外鍔部１７６に本体３の下鍔３５が固定される。
また、外鍔部１７６には、本体３の下鍔３５のひっかけ部（図示せず）に引っ掛けるための４個の切り欠き１７８がある。切り欠き１７８は、外鍔部１７６を外側からコの字状に切り欠いた形状をしている。
【００３１】
前述したように、吸気カバー部２７は、リング状に形成され、側面が帯状をなし、この帯状の側面に吸気口８となる複数の開口が形成される。
この吸気カバー部２７は、上下方向が円形状に開口している。
外筒部１７５と外鍔部１７６とにより形成された上方向側の開口が、本体３の下端３１の開口部分に取り付けられる。
内筒部１７３と内鍔部１７２とにより形成された下方側の開口には光透過性カバー部２９が内鍔部１７２の内側に取り付けられて下方側の開口が閉塞される。
【００３２】
吸気カバー部２７の吸気口８から空気が流入することによって、本体３の内側に配置される放熱部材７の間に空気が流入する。
吸気カバー部２７の側面の吸気口８から吸気された空気は、放熱部材７の放熱フィン１２２の下側かつ横方向から斜め上方向へ吹き込み、放熱部材７の放熱フィン１２２の熱によって加熱されながら上昇していく。
放熱フィン１２２は半径方向Ｒと一致する放射状に配置される。放熱フィン１２２の放射方向を半径方向Ｒに対して所定角度となるように配置してもよい。吸気口８から流入した空気は、放熱フィン１２２の熱を受けて温度が上昇して、本体３の空間１８０により渦巻き状の上昇気流を発生させることが期待でき、煙突トンネル効果によって放熱作用の向上が期待できる。
【００３３】
光透過性カバー部２９は、８５％以上の光透過性を有する樹脂あるいはガラスでできている。光透過性カバー部２９の形状は、円板である。
パッキン２８は、環状の弾性ゴムでできている。弾性ゴムは、例えば、シリコンゴムが用いられる。パッキン２８の半径方向の断面はＵ字形状をしており、内側に光透過性カバー部２９の外周縁を挿入する。光透過性カバー部２９を装着したパッキン２８の外径は、内筒部１７３の内径以下であり、ほぼ、同じ径にするのが望ましい。
【００３４】
＜＜＜取付部４５の説明＞＞＞
取付部４５は、本体３の上部で照明器具１を天井の取付面に設置する。
取付部４５は、取付アーム５と、１対の固定アーム４とを有する。
【００３５】
取付アーム５と固定アーム４とは、同一幅の平板状をしている。
取付アーム５の両端に固定アーム４の上端がねじ止めされ、取付部４５は全体としてコ形状をしている。
取付アーム５の中央および中央周辺には、天井からの吊ボルトを通す貫通孔や天井の取付面に固定するための複数のねじ穴が形成されている。
固定アーム４の下方には、本体３の側面３３にねじ止めされる舌片４３がある。
固定アーム４の下端には、中心に向かって直角に折り曲げられた下支え４１がある。
下支え４１は、本体３の下鍔３５を下から支えるものであり、固定アーム４から本体３が落下するのを防止している。下支え４１の両側には、上方向に突出した１対の爪４２がある。下鍔３５には、爪４２に対向した位置に爪穴４４があり、爪４２が爪穴４４に挿入され、固定アーム４から本体３が外れてしまうことを防止している。
【００３６】
取付アーム５は、取付面（たとえば天井面）に取り付けられ、照明器具を天井に取り付ける。
１対の固定アーム４は、取付アーム５を天板６および点灯装置１００から離れた位置に固定する。
天板６および点灯装置１００と取付アーム５との間には、照明器具１の天井への取付時の作業スペース空間がある。
【００３７】
取付アーム５は、本体３の両側面に締結された固定アーム４の上端に両端を支持される形態をとっている。この形態により器具設置時に必要とされる施工スペースを必要に応じて確保することが可能となる。
取付部４５は、本体３の側面に締結されてもよいし、本体３の上部に締結されてもよい。たとえば、器具設置に幅方向の距離が必要なく、狭い場所への取付けが要求されるのであれば、固定アーム４を中心方向に直角に曲げて固定アーム４をＬ字状にして、取付部４５の全体形状を矩形のＣ形状にして、固定アーム４を天板６の上面（弧状板６１）に締結できる形状にして、取付アーム５を支持することにより、器具小型・軽量化が見込まれる。
なお、取付部４５は、一つの部品を折り曲げてコ字状に作成してもよい。
【００３８】
本実施の形態の例では、点灯装置１００の延在方向と取付アーム５は直交する形で配設されているが、点灯装置１００の延在方向と取付アーム５が平行する形態で配設してもよい。直交する形で配設されれば、取付部４５を本体３の外的衝撃に対する補強とすることができ、平行する形で配設されれば点灯装置１００を取付部４５の補強とすることができる。
【００３９】
＜＜＜製造方法の説明＞＞＞
以下に、照明器具１の製造方法を説明する。
１．本体３の上から筒内に光源２を入れ、本体３の下鍔３５と光源２の外鍔部１７６とをねじ止めする。
２．本体３の上端３２に天板６をかぶせ、本体３の上鍔３６と天板６の弧状板６１とをねじ止めする。
３．光源２の電線１７９を点灯装置１００の装置本体１０１の回路基板１０４に締結する。
４．点灯装置１００の装置本体１０１を天板６の装置配設部５０に配置し、装置本体１０１の装置底板１１１と装置配設部５０の底板５１のエンボス５４とをねじ止めする。
５．装置本体１０１に端子用カバー１０３がついた装置蓋１０２をかぶせ、装置本体１０１に装置蓋１０２をねじ止めする。
６．固定アーム４の下支え４１の爪４２を爪穴４４に挿入して、取付部４５の固定アーム４を側面３３にねじ止めする。
この状態で、図１の照明器具１が完成し、現場に出荷することができる。
【００４０】
＜＜＜施工方法の説明＞＞＞
以下に、照明器具１の施工方法を説明する。
１．端子用カバー１０３を装置蓋１０２からはずす。
２．天井からの交流電源の電線を端子台１０５に接続する。
３．端子用カバー１０３を装置蓋１０２に装着する。
４．ボルト締め又はねじ止めを用いて、取付アーム５を天井の取付面に取り付ける。
この状態で、照明器具１の施工が完成する。
【００４１】
＜＜＜効果＞＞＞
本実施の形態によれば、点灯装置１００は、天板６および本体３の窪み部分に収まるように配設され、本体３の上面と点灯装置１００の上面が同じ高さとなるので、照明器具１の天井取付時に取付アーム５の下の施工作業スペースを確保しつつも器具全高を抑えることが可能となる。
【００４２】
本実施の形態によれば、光源２の発する熱を本体３の上部に換気孔を設けることにより、器具外へ効率的に放出すると共に、光源２の熱的影響を点灯装置１００へ与えにくくしながらも、点灯装置１００を本体３の上部へ埋設して配設することで、照明器具の小型・軽量化を図ることができ、さらに、照明器具の設置作業スペースを確保することができる。
【００４３】
本実施の形態によれば、照明器具１が点灯装置１００を備えており、点灯装置１００を別途天井裏など離隔場所に設置する必要がないので、施工が容易である。
また、照明器具１の外郭から点灯装置１００がはみ出していないので作業スペースがあり、天井設置工事が容易である。
【００４４】
＜＜＜変更例＞＞＞
変更例１．
図７に示すように、脇隙間９６を均一幅にしてもよい。その場合には、傾斜板５２は、垂直板となる。また、底板５１の面積は点灯装置１００の装置底板１１１の面積よりも大きくなる。脇隙間９６が均一幅の場合は、点灯装置１００の下部から放熱しやすくなる。
【００４５】
変更例２．
図８に示すように、装置配設部５０の底板５１の下に、２枚の排気ガイド板１８１を設け、熱気を両サイドにガイドしてもよい。排気ガイド板１８１は、底板５１の長辺と同じ長さの長辺を有する矩形の板金であり、２枚の排気ガイド板１８１で断面がＶ字の閉空間１８２を形成する。閉空間１８２の内部の空気が断熱効果を有するため、熱が底板５１に伝わりにくい効果がある。
２枚の排気ガイド板８１は、図４に示す照明器具１に設けてもよい。
【００４６】
変更例３．
ねじ、ねじ穴、ねじ切り穴の代わりに、ボルト・ナット、ボルト穴でもよいし、リベット、リベット穴でもよい。
また、ねじ止め、ボルト・ナット止め、リベット止めを混在させてもよい。また、接着剤を用いてもよい。
本体３と光源２とは、電気的安全性を高めるため分解できないように、リベット止めをすることが望ましい。
本体３と取付部４５は、本体３の落下を防止するため、リベット止めをすることが望ましい。
【符号の説明】
【００４７】
１  照明器具、２  光源、２３  放熱絶縁シート、２４  光源モジュール、２５  リフレクタ、２７  吸気カバー部、２８  パッキン、２９  光透過性カバー部、３  本体、３１  下端、３２  上端、３３  側面、３４  切欠き部、３５  下鍔、３６  上鍔、３７  ねじ切り穴、４  固定アーム、４１  下支え、４２  爪、４３  舌片、４４  爪穴、４５  取付部、５  取付アーム、６  天板、６１  弧状板、７  放熱部材、８  吸気口、９  排気口、９１  排気口、５０  装置配設部、５１  底板、５２  傾斜板、５３  凹端部、５４  エンボス、５５  ねじ切り穴、９５  底隙間、９６  脇隙間、１００  点灯装置、１０１  装置本体、１０２  装置蓋、１０３  端子用カバー、１０４  回路基板、１０５  端子台、１０６  取付金具、１０７  上板、１０８  長側板、１０９  短側板、１１０  端子口、１１１  装置底板、１２１  ベースプレート、１２２  放熱フィン、１７２  内鍔部、１７３  内筒部、１７４  中リング部、１７５  外筒部、１７６  外鍔部、１７８  切り欠き、１７９  電線、１８０  空間、１８１  排気ガイド板。
【図１】
2018166124.tif 000003
【図２】
2018166124.tif 000004
【図３】
2018166124.tif 000005
【図４】
2018166124.tif 000006
【図５】
2018166124.tif 000007
【図６】
2018166124.tif 000008
【図７】
2018166124.tif 000009
【図８】
2018166124.tif 000010
【手続補正書】
【提出日】平成30年8月23日(2018.8.23)
【手続補正１】
【補正対象書類名】明細書
【補正対象項目名】０００７
【補正方法】変更
【補正の内容】
【０００７】
本発明の照明器具は、
光源と、
前記光源と対向する天板と、
前記天板の前記光源と対向する面の反対側の面に取り付けられ、前記光源を点灯する点灯装置と、
前記光源と前記天板との間に空間を設けて前記光源と前記天板とを保持する本体と
を備えていることを特徴とする。
【手続補正２】
【補正対象書類名】明細書
【補正対象項目名】０００８
【補正方法】変更
【補正の内容】
【０００８】
本発明によれば、光源と天板との間に空間を設けているので、光源の熱的影響を点灯装置へ与えにくくすることができる。
【手続補正３】
【補正対象書類名】特許請求の範囲
【補正対象項目名】全文
【補正方法】変更
【補正の内容】
【特許請求の範囲】
【請求項１】
光源と、
前記光源と対向する天板と、
前記天板の前記光源と対向する面の反対側の面に取り付けられ、前記光源を点灯する点灯装置と、
前記光源と前記天板との間に空間を設けて前記光源と前記天板とを保持する本体と
を備えている照明器具。
【請求項２】
前記光源は、前記天板と対向する側に放熱部材を有し、
前記本体は、前記放熱部材および前記空間の周囲に開口部を設けている請求項１に記載の照明器具。